(57)【要約】【課題】コーナースペースを有効活用可能な薄型テレビの設置技術を提供する。【解決手段】テレビシステム１０は壁５のコーナーに固定されている。テレビシステム１０は、液晶テレビ２０と、ラックユニット５０とで構成されており、液晶テレビ２０がラックユニット５０の扉として機能するように取り付けられている。さらに、テレビシステム１０は、扉として機能する液晶テレビ２０を、左右のいずれの方向へも開くことができる機構を備えている。なお、テレビシステム１０は、ＣＥＣ機能を利用することで、内部に配置されるＤＶＤプレーヤ９０とリンク接続して、ＤＶＤプレーヤ９０の動作制御を行うことができる。【選択図】図１
2012085210.tif 000002
【特許請求の範囲】
【請求項１】
前面が開口となっており、内部に電子機器を収容可能なラックと、
薄型テレビを扉として機能させるために、前記ラックの前面部分に前記開口を覆うように前記薄型テレビを開閉可能に取り付けるための表示装置固定手段と、
前記ラックに設けられ、コーナー部分に固定可能なラック固定手段と
を備えることを特徴とするラックユニット。
【請求項２】
前記ラックは、前記電子機器を収容可能とするとともに、前記表示装置固定手段の開動作に対応して、前方又は斜め前方に移動可能とする機器収容部を備えることを特徴とする請求項１に記載のラックユニット。
【請求項３】
前記ラックは、
前記薄型テレビ及び内部に収容される前記電子機器と、リンク可能に通信可能に接続するリンク通信手段と、
前記表示装置固定手段の開動作に対応して、前記電子機器の動作を制御可能とするラック制御手段と
を備えることを特徴とする請求項１または２に記載のラックユニット。
【請求項４】
前記ラック制御手段は、前記リンク通信手段を介して取得した前記電子機器の機種情報に応じて、前記電子機器の動作の制御パターンを決定することを特徴とする請求項３に記載のラックシステム。
【請求項５】
請求項１から４までのいずれかに記載のラックユニットと、
前記表示装置固定手段によって前記ラックに扉として固定された薄型テレビと、
を備えることを特徴とするテレビシステム。
【発明の詳細な説明】
【技術分野】
【０００１】
本発明は、ラックユニット及びテレビシステムに係り、内部にＡＶ機器等を収容可能なラックユニット、及びそのようなラックユニットと薄型テレビとを備えるテレビシステム関する。
【背景技術】
【０００２】
液晶テレビで代表される薄型テレビが多くの家庭に普及するようになっており、従来のブラウン管テレビと比較して、ユーザはかなりの自由度をもってテレビを設置できるようになっている。そのような背景のもと、テレビの設置態様さらにはテレビの構成態様について様々な技術が提案されている。
【０００３】
例えば、テレビ本体の筺体に一端部が前記筺体に対して水平方向に回動自在に支持された複数の表示パネルを備えた技術が開示されている（特許文献１参照）。具体的には、表示パネルが左右に分離可能に構成されており、さらに観音開きの態様で表示パネルを筐体から開閉できるようになっている。このような構成とすることで、特に、大型表示装置において修理等の作業性を向上させている。
【０００４】
また、角度調整機能を有する全壁面対応型の液晶テレビ壁掛け金具及びその機構が開示されている（特許文献２参照）。この技術では、液晶テレビをコーナーの壁に取り付ける技術が開示されており、テレビ設置の自由度をさらに向上させている。
【先行技術文献】
【特許文献】
【０００５】
【特許文献１】特開平８−７６６９４号公報
【特許文献２】特開２０００−３１２３１８号公報
【発明の概要】
【発明が解決しようとする課題】
【０００６】
ところで、テレビ自体が薄型化及び軽量化することで、設置態様の自由度は向上したが、そもそも設置場所を変更することが難しいことがある。つまり、家の間取り自体は、リフォーム等することが無い限り、変更することができないことから、テレビの設置場所も現実的には限られている。特に、テレビをコーナーに設定することを前提として、家具の配置等がなされていることが多く、その結果、薄型テレビを新たに購入した場合であっても、コーナーに設置することが多く、薄型化のメリットが十分得られず、コーナースペースの有効活用が課題となっていた。特許文献１に開示の技術では、薄型テレビをコーナーに設置するときに、薄型テレビに接続するＡＶ機器等の設置場所やコーナースペースの有効活用が課題となっている。また、特許文献２に開示の技術では、テレビ自体の設置については、一定の解決がなされているものの、コーナー設置時におけるテレビと接続するＡＶ機器等の設置場所やコーナースペースの有効活用が課題となっている。
【０００７】
本発明の目的は、上記課題に鑑み、コーナースペースを有効活用可能な薄型テレビの設置技術を提供することにある。
【課題を解決するための手段】
【０００８】
本発明に係る装置は、ラックシステムに関する。このラックシステムは、前面が開口となっており、内部に電子機器を収容可能なラックと、薄型テレビを扉として機能させるために、前記ラックの前面部分に前記開口を覆うように前記薄型テレビを開閉可能に取り付けるための表示装置固定手段と、前記ラックに設けられ、コーナー部分に固定可能なラック固定手段と、を備える。
また、前記ラックは、前記電子機器を収容可能とするとともに、前記表示装置固定手段の開動作に対応して、前方又は斜め前方に移動可能とする機器収容部を備えてもよい。
また、前記ラックは、前記薄型テレビ及び内部に収容される前記電子機器と、リンク可能に通信可能に接続するリンク通信手段と、前記表示装置固定手段の開動作に対応して、前記電子機器の動作を制御可能とするラック制御手段とを備えてもよい。
また、前記ラック制御手段は、前記リンク手段を介して取得した前記電子機器の機種情報に応じて、前記電子機器の動作の制御パターンを決定してもよい。
本発明の別の態様は、テレビシステムに関する。このテレビシステムは、上記のラックユニットと、前記表示装置固定手段によって前記ラックに扉として固定された薄型テレビと、を備える。
【発明の効果】
【０００９】
本発明によれば、コーナースペースを有効活用可能な薄型テレビの設置技術を提供することができる。
【図面の簡単な説明】
【００１０】
【図１】第１の実施形態に係る、テレビシステムの外観を模式的に示した図である。
【図２】第１の実施形態に係る、ラックユニットを外観を模式的に示した図である。
【図３】第１の実施形態に係る、液晶テレビを模式的に示した図である。
【図４】第１の実施形態に係る、テレビシステムの制御システムの概略構成を示す機能ブロック図である。
【図５】第２の実施形態に係る、テレビシステムの外観を模式的に示した図である。
【図６】第３の実施形態に係る、テレビシステムの外観を模式的に示した図である。
【図７】第３の実施形態の変形例に係る、テレビシステムの外観を模式的に示した図である。
【図８】第４の実施形態に係る、テレビシステムの外観を模式的に示した図である。
【図９】第５の実施形態に係る、テレビシステムの外観を模式的に示した図である。
【図１０】第６の実施形態に係る、テレビシステムの外観を模式的に示した図である。
【発明を実施するための形態】
【００１１】
次に、本発明を実施するための形態を、図面を参照して具体的に説明する。本実施形態では、液晶テレビを部屋の壁のコーナーに取り付けて、コーナースペースを有効活用するために、テレビ背面への接続機器の収納および接続機器操作を可能とする構造にする。
【００１２】
＜第１の実施形態＞
図１は、本実施形態に係るテレビシステム１０の外観を模式的に示した図であり、テレビシステム１０は壁５のコーナーに固定されている。テレビシステム１０は、液晶テレビ２０と、ラックユニット５０とで構成されており、液晶テレビ２０がラックユニット５０の扉として機能するように取り付けられている。さらに、テレビシステム１０は、扉として機能する液晶テレビ２０を、左右のいずれの方向へも開くことができる機構を備えている。なお、テレビシステム１０は、図４の説明で後述する構成によって、ＣＥＣ機能を利用することで、内部に配置されるＤＶＤプレーヤ９０等の動作制御を行うことができる。
【００１３】
なお、図１（ａ）は、液晶テレビ２０が閉じた状態、図１（ｂ）は、液晶テレビ２０が若干右側に開いた状態を示している。図１（ｃ）は、液晶テレビ２０が右側に大きく開いた状態を示している。図１（ｄ）は、図１（ｃ）の状態とは反対に、液晶テレビ２０が左側に大きく開いた状態を示している。また、図１（ａ）〜（ｄ）では、上側が平面図を示し、下側が正面図を示している。さらに、左右のいずれからも開閉できる機構は、例えば、特開平０９−３０３９４２号公報や特開２００９−９２２８５号公報に開示の技術を利用できる。これらの公報では、冷蔵庫の扉を、左右のいずれの方からも開閉できる機構を開示しており、本実施形態において適用可能である。
【００１４】
図２に、ラックユニット５０を外観を示す。図２（ａ）は正面図、図２（ｂ）は平面図、図２（ｃ）は側面図を示している。ラックユニット５０は、前面が開口となる箱形形状を呈している。そして、左右のラック側面５１には、壁５に取り付けるための壁取付金具８０が備わる。壁取付金具８０は、取付板８２と取付脚８４とを備えて構成されている。取付板８２は、壁５にネジ等によって固定される部位である。取付脚８４は、取付板８２とラック側面５１とを連結する部位であり、ここでは、上下方向に３つに配置された部品からなる。壁取付金具８０の取り付け角度等は、例えばネジやヒンジ構造によって調整可能としてもよい。
【００１５】
ラックユニット５０の内部は、仕切り壁５３によって上下２段のスペースに仕切られている仕切り壁５３の上面には、移動壁５４が設けられている。この移動壁５４は、扉として機能する液晶テレビ２０が左右いずれかに開いたときに、ユーザのアクセスが容易となるように前方に移動可能となっている。したがって、移動壁５４の上にＤＶＤプレーヤ９０が配置された場合、ＤＶＤプレーヤ９０が前方に移動し、さらにユーザの操作指示等に応じてメディアトレー９２が前方に開く。移動壁５４の動作は、図示しないモータ等の駆動手段によって制御される。
【００１６】
正面視で、ラックユニット５０の前面部分左側には第１の回動接続部５２ａが、右側には第２の回動接続部５２ｂがそれぞれ上下一組として設けられており、液晶テレビ２０（ＴＶ−ラック接続部４０）が接続される。
【００１７】
図３は、液晶テレビ２０を示した図であり、図３（ａ）が液晶テレビ２０と背面金具３０とＴＶ−ラック接続部４０とが分離した状態を示した斜視図で、図３（ｂ）がそれらが固定された状態の斜視図であり、図３（ｃ）は側面図である。図示のように、液晶テレビ２０には、ラックユニット５０との接続のために、背面金具３０とＴＶ−ラック接続部４０とが設けられている。背面金具３０は、液晶テレビ２０とＴＶ−ラック接続部４０とを介装する部品であり、ＴＶ−ラック接続部４０と背面金具３０とが一体で構成されてもよい。背面金具３０と液晶テレビ２０の固定には、液晶テレビ２０のテレビ背面２２に設けられたネジ穴２３と、背面金具３０のテレビ接続面３１のネジ穴３３とが固定ネジＭによって固定される。なお、液晶テレビ２０のネジ穴２３は、例えばＶＥＳＡ規格に基づくものである。
【００１８】
また、ＴＶ−ラック接続部４０は、ラックユニット５０の扉のベース部となる部分である。ＴＶ−ラック接続部４０は、背面金具３０の扉接続部３２と固定するためのネジ穴４４が設けられている。また、ラックユニット５０の第１の回動接続部５２ａ及び第２の回動接続部５２ｂと接続される第１の開閉機構部４２ａ及び第２の開閉機構部４２ｂが、それぞれ上下一組で設けられている。
【００１９】
液晶テレビ２０をラックユニット５０から開くように動かすときには、第１の開閉機構部４２ａと第１の回動接続部５２ａの接続、または第２の開閉機構部４２ｂと第２の回動接続部５２ｂの接続のいずれか一方の接続が解除される。そして、解除されない接続部分が枢動する。この構成及び機能は、上述の特開２００９−９２２８５号公報に開示の技術を適用することで実現できるので、詳細な説明は省略する。
【００２０】
つぎに、テレビシステム１０の開閉動作に関連する制御システムについて説明する。図４は、テレビシステム１０の制御システムの概略構成を示す機能ブロック図であり、主にＨＤＭＩ規格のＣＥＣ機能に着目した構成について示している。
【００２１】
ここでは、テレビシステム１０を構成する液晶テレビ２０及びラックユニット５０と、ラックユニット５０に収納されているＤＶＤプレーヤ９０とを示している。液晶テレビ２０、ラックユニット５０、及びＤＶＤプレーヤ９０は、ＨＤＭＩケーブルでリンク接続され、ＣＥＣ機能によって相互に通信制御可能となっている。なお、ＤＶＤプレーヤ９０がラックユニット５０に収容され液晶テレビ２０が閉じた状態では、ＤＶＤプレーヤ９０の操作制御には、直接的なリモコン操作は不可能であるため、液晶テレビ２０又はラックユニット５０を介したＣＥＣ機能（ＨＤＭＩ機能）を用いた操作が必要となる。
【００２２】
液晶テレビ２０は、テレビ制御部２５と、表示部２６と、通信処理部２９とを備える。表示部２６は、液晶パネル、バックライト、駆動ドライバ等を備えている。テレビ制御部２５は、チューナ、画像処理部、音声処理部等を備える。通信処理部２９は、ＨＤＭＩ規格に基づいて、ラックユニット５０やＤＶＤプレーヤ９０とリンク通信可能となっている。
【００２３】
ラックユニット５０は、開閉駆動制御部７５と、ラックセンサ７６と、通信制御部７９とを備えている。通信制御部７９は、ＨＤＭＩ規格に基づいて、液晶テレビ２０やＤＶＤプレーヤ９０とリンク通信可能となっている。
【００２４】
開閉駆動制御部７５は、移動壁５４の移動を制御する。ラックセンサ７６は、液晶テレビ２０の開閉状態を検知する。具体的には、ラックセンサ７６は、近接センサや、回動接続部５２が枢動するときの回動量（回転角）を検知するセンサであって、開閉の程度を検知することができる。
【００２５】
そして、開閉駆動制御部７５は、ラックセンサ７６の検知結果やリンク通信を基に、ＤＶＤプレーヤ９０のメディアトレー９２の開動作の許可を決定したり、移動壁５４の移動量を決定する。具体的には、開閉駆動制御部７５は、扉として機能する液晶テレビ２０が所定量開いた状態になったと判断すると、メディアトレー９２の開動作を許可する。さらに、開閉駆動制御部７５は、移動壁５４を前方に移動させたときに、扉として機能する液晶テレビ２０に移動壁５４が接触しないように制御する。なお、メディアトレー９２の開動作のために十分なスペースがある場合には、接触を考慮することなく、移動壁５４を前方に移動させることができる。
【００２６】
また、ＤＶＤプレーヤ９０のメディアトレー９２が開いて前方に移動したときに、移動壁５４を移動させると、メディアトレー９２の配置によっては、メディアトレー９２が液晶テレビ２０に接触しやすいときがある。例えば、図１（ｂ）及び（ｃ）に示すように、液晶テレビ２０が第２の開閉機構部４２ｂを軸として左側が開く場合、液晶テレビ２０の左側（第１の開閉機構部４２ａ側）の回動に伴う移動量が大きいため、正面視左側に配置されたメディアトレー９２を前方に出しても十分がスペースを確保しやすい。
【００２７】
一方、図１（ｄ）に示すように、テレビシステム１０の右側が開いて回動する場合、扉として十分に開いた状態であっても、メディアトレー９２を開くと、接触するおそれが大きくなる。そこで、開閉駆動制御部７５は、メディアトレー９２の配置に応じて、移動壁５４の移動量を調整する。本実施形態の場合、液晶テレビ２０の左側が開いた場合には、移動壁５４を前方に移動させることを許可する。一方で、液晶テレビ２０の右側が開いた場合には、移動壁５４を前方に移動させない。
【００２８】
移動壁５４の移動量の設定は、開閉駆動制御部７５が所定のユーザインタフェイス（操作ボタンやリモコン等）によるユーザの指定で取得してもよいし、ＤＶＤプレーヤ９０の機種毎の仕様等が記載されたデータベースを参照してもよい。そのデータベースは、図示しないネットワークや所定の記録媒体を介して、利用する態様であってもよい。そして、ラックユニット５０は、ＤＶＤプレーヤ９０に関して、ＨＤＭＩ規格にもとづいたリンク通信によって機種情報を取得し、ＤＶＤプレーヤ９０の機種を把握することが出来る。
【００２９】
ＤＶＤプレーヤ９０は、プレーヤ制御部９５と、再生部９６と、通信処理部９９とを備える。通信処理部９９は、ＨＤＭＩ規格に基づいて、液晶テレビ２０やラックユニット５０と通信可能となっている。再生部９６は、一般的なＤＶＤドライブを備えており、メディアトレー９２も構成の一部である。プレーヤ制御部９５は、再生部９６の再生制御、メディアトレー９２に開閉動作制御、通信処理部９９を介した外部機器（液晶テレビ２０やラックユニット５０）との連動制御を行う。
【００３０】
以上、本実施形態によると、ユーザは、液晶テレビ２０等の薄型テレビを部屋に設置する場合に、部屋のコーナーを有効活用でき、従来通りの部屋の家具配置、家電配置を実現できる。つまり、従来のブラウン管テレビのように、奥行きがある形状の場合、部屋のコーナーに配置することが多く、その前提で、家具の配置等が定まっていた。そのような状態で、テレビを買い換え液晶テレビ２０にした場合、結局はコーナーに配置することになり、従来では省スペース化が十分に実現できず、利用できない空間が生じていた。しかし、本実施形態では、コーナーに設置可能なラックユニット５０を導入し、液晶テレビ２０を扉として機能させることから、デッドスペースの有効活用が実現できる。さらに、ラックユニット５０に収容されるＤＶＤプレーヤ９０等の操作をＨＤＭＩ機能に基づいて行うことで、内部に収容された状態であっても操作可能となる。さらに、液晶テレビ２０が扉として開閉動作するときの開状態をラックセンサ７６で適切に検知することで、ＤＶＤプレーヤ９０へのアクセスの容易さを向上させることができたり、ＤＶＤプレーヤ９０の動作の障害（接触等）を回避できる。
【００３１】
上記実施形態では、図４に示した制御システムを用いて液晶テレビ２０、ラックユニット５０及びＤＶＤプレーヤ９０をＣＥＣ機能によって連動させたが、これに限る趣旨ではない。メカニカルな機構のみの構成であってもよい。液晶テレビ２０の開閉動作にともなう移動壁５４の移動量を、ボールネジとナットの組み合わせやリンク機構、チェーン機構等を適宜組み合わせて、所望に制御する構成であってもよい。
【００３２】
＜第２の実施形態＞
本実施形態では、上記第１の実施形態の液晶テレビ２０の開閉態様の変形例について例示する。したがって、同一の構成及び動作等（例えば、壁取付金具８０や図４の制御システムの構成）に関する説明については適宜省略する。以降の実施形態でも同様である。
【００３３】
図５は、本実施形態に係るテレビシステム１１０の概略構成を示す図である。図５（ａ）は液晶テレビ１２０が扉として機能するときに、閉じた状態を示し、図５（ｂ）は若干開いた状態を示し、図５（ｃ）は略完全に開いた状態を示している。なお、左側が正面図であり右側が断面図をそれぞれ模式的に示している。
【００３４】
このテレビシステム１１０は、液晶テレビ１２０が上方向に開く構成となっている。具体的には、液晶テレビ１２０には、第１の実施形態と同様に、背面金具１３０及びＴＶ−ラック接続部１４０が取り付けられている。背面金具１３０は、第１の実施形態の背面金具３０と同じ構造である。ＴＶ−ラック接続部１４０は、上側部分に蝶番構造の開閉機構部１４２が設けられており、ラックユニット１５０の天板の前面部分に取り付けられている。
【００３５】
ラックユニット１５０は、前面及び底面が開口となった略箱状の形状を呈しており、内部に、移動収容部１５５を備える。移動収容部１５５は、前面が開口となって、ＤＶＤプレーヤ１９０やＡＶアンプ１９２を配置可能となっている。ここでは、３段になっている。一番下にＡＶアンプ１９２が配置され、真ん中にＤＶＤプレーヤ１９０が配置されている。
【００３６】
そして、液晶テレビ１２０が扉として機能する場合、開閉機構部１４２を軸として下側から開くようになっている。そして、液晶テレビ１２０が開くにしたがって移動収容部１５５が斜め前方下側に移動する。逆に、液晶テレビ１２０が閉じる場合、移動収容部１５５は斜め後方上側に移動する。この移動は、液晶テレビ１２０とラックユニット１５０とを接続する一般的なリンク機構やオイルダンパー等によって実現することができる。
【００３７】
本実施形態によると、第１の実施形態と同様の効果が得られる。さらに、ラックユニット１５０に収容される機器のうち配置場所に応じて液晶テレビ１２０を上方へ開く度合いが定まるため、必要最小限の開動作で、ラックユニット１５０に収容されている機器へアクセスできる。
【００３８】
＜第３の実施形態＞
図６に、本実施形態で示す変形例のテレビシステム２１０を示す。図６（ａ）は扉として機能する液晶テレビ２２０が閉じた状態を示しており、図６（ｂ）は液晶テレビ２２０が開いた状態を示している。
【００３９】
テレビシステム２１０は、液晶テレビ２２０と、ラックユニット２５０と、ＤＶＤプレーヤ２９０及びＡＶアンプ２９５とから構成され、各機器はＣＥＣ機能によって相互に動作制御可能となっている。
【００４０】
液晶テレビ２２０は、背面金具２３０及びＴＶ−ラック接続部２４０とを備える。背面金具２３０は、第１及び第２の実施形態と同じ構造である。ＴＶ−ラック接続部２４０は、左右の端部に上下方向に形成されたスライド嵌合凸部２４２を備える。スライド嵌合凸部２４２は、ラックユニット２５０に設けられるスライド嵌合凹部２５２とスライド可能に勘合する。
【００４１】
ラックユニット２５０は、前面及び底面が開口となった略箱状の形状を呈しており、内部に、移動収容部２５５を備える。移動収容部２５５は、前面が開口となって、ＤＶＤプレーヤ２９０やＡＶアンプ２９５を配置可能となっている。ここでは、３段になっている。一番下にＡＶアンプ２９５が配置され、真ん中にＤＶＤプレーヤ２９０が配置されている。
【００４２】
また、ラックユニット２５０の側面の前端面には、スライド嵌合凸部２４２とスライド可能に勘合するスライド嵌合凹部２５２が上下に延びて形成されている。スライド嵌合凹部２５２とスライド嵌合凸部２４２が勘合し、液晶テレビ２２０は上下方向の所望に位置に停止可能になっている。
【００４３】
そして、液晶テレビ２２０が扉として機能する場合、液晶テレビ２２０が上方向に移動して開く際に、所定以上に移動した場合、移動収容部２５５が前方に移動する。また、液晶テレビ１２０が閉じる場合には、移動収容部２５５が後方に移動する。
【００４４】
このような構成とすることで、第１の実施形態と同様の効果が得られる。なお、図７のテレビシステム２１０ａに示すように、扉として機能する液晶テレビ２２０が上方向に開いたときに、液晶テレビ２２０が後方に倒れるように動作するように構成してもよい。
【００４５】
＜第４の実施形態＞
図８に第４の実施形態のテレビシステム３１０について示す。本実施形態のテレビシステム３１０は、扉として機能する液晶テレビ３２０が横方向（ここでは左方向）に移動することで、開いた状態になる。図８（ａ）は液晶テレビ３２０が閉じた状態を示し、図８（ｂ）は途中まで開いた状態を示し、図８（ｃ）は正面視で完全に右方向に開いた状態を示している。
【００４６】
具体的には、上述の第１〜第３の実施形態と同様に、液晶テレビ３２０は、壁５のコーナーに壁取付金具３８０（取付板３８２、取付脚３８４）によって固定される。また、図４で示した構成と同様の構成によってテレビシステム３１０の動作制御がなされる。さらに、液晶テレビ３２０の背面には、背面金具３３０とＴＶ−ラック接続部３４０とが備えられている。そして、液晶テレビ３２０において、ＴＶ−ラック接続部３４０がラックユニット３５０に開閉可能に取り付けられ、液晶テレビ３２０がラックユニット３５０の扉として機能する。そして、所定量だけ開いた状態になると、メディアトレー３９２の開動作が可能となる。所定量は、第１の実施形態で示したように、ユーザによって設定されてもよいし、ＤＶＤプレーヤ３９０のメディアトレー３９２の配置に関する所定のデータベースを参照することで設定されてもよい。
【００４７】
本実施形態によると、上述の実施形態と同様の効果が得られ、部屋の空間の活用の自由度が向上する。
【００４８】
＜第５の実施形態＞
図９に第５の実施形態のテレビシステム４１０について示す。本実施形態のテレビシステム４１０では、ラックユニット４５０に取り付けられる液晶テレビ４２０が、左右に分離して観音開きとなる。図９（ａ）は閉じた状態を示し、図９（ｂ）は若干開いた状態を示し、図９（ｃ）は完全に開いた状態を示している。表示パネル部分が分離して開閉可能な構成は、例えば、従来技術の特許文献１の技術のように公知の技術を適用することで実現できる。
【００４９】
液晶テレビ４２０が観音開きとなることから、液晶テレビ４２０の背面に取り付けられる背面金具４３０及びＴＶ−ラック接続部４４０は、それぞれ左右一組として取り付けられている。そして、液晶テレビ４２０の開き量が所定以上となると、メディアトレー４９２が開動作可能となる。本実施形態によると、上述の実施形態と同様の効果が得られ、部屋の空間の活用の自由度が向上する。
【００５０】
＜第６の実施形態＞
図１０に第６の実施形態のテレビシステム５１０について示す。本実施形態のテレビシステム５１０では、ラックユニット５５０に取り付けられる液晶テレビ５２０が、上下に分離して開くようになっている。具体的には、液晶テレビ５２０の背面に、背面金具５３０及びＴＶ−ラック接続部５４０が、それぞれ上下一組として取り付けられている。それぞれのＴＶ−ラック接続部５４０には、スライド嵌合凸部５４２が取り付けられており、スライド嵌合凸部５４２がラックユニット５０の側面前端部に設けられたスライド嵌合凹部５５２とスライド可能に勘合する。この構造によって、液晶テレビ５２０は上下に分離して開閉することができる。
【００５１】
そして、完全に開くと、ＤＶＤプレーヤ５９０やＡＶアンプ５９５が収容された移動収容部５５５が前方に移動可能になっている。さらに、メディアトレー５９２の開動作が可能となる。本実施形態によると、上述の実施形態と同様の効果が得られ、部屋の空間の活用の自由度が向上する。
【００５２】
以上、本発明を第1〜第6の実施形態をもとに説明した。この実施形態は例示であり、それらの各構成要素や各処理プロセスの組み合わせにいろいろな変形例が可能なこと、またそうした変形例も本発明の範囲にあることは当業者に理解されるところである。
【符号の説明】
【００５３】
１０、１１０、２１０、３１０、４１０、５１０  テレビシステム
２０、１２０、２２０、３２０、４２０、５２０  液晶テレビ
３０、１３０、２３０、３３０、４３０、５３０  背面金具
４０、１４０、２４０、３４０、４４０、５４０  ＴＶ−ラック接続部
５０、１５０、２５０、３５０、４５０、５５０  ラックユニット
９０、１９０、２９０、３９０、４９０、５９０  ＤＶＤプレーヤ
２５  テレビ制御部
２９  通信処理部
３２  扉接続部
４２、１４２  開閉機構部
４２ａ  第１の開閉機構部
４２ｂ  第２の開閉機構部
５２ａ  第１の回動接続部
５２ｂ  第２の回動接続部
５４  移動壁
７５  開閉駆動制御部
７６  ラックセンサ
７９  通信制御部
８０  壁取付金具
９２  メディアトレー
９５  プレーヤ制御部
９６  再生部
９９  通信処理部
１５５、２５５  移動収容部
２４２  スライド嵌合凸部
２５２  スライド嵌合凹部
【図１】
2012085210.tif 000003
【図２】
2012085210.tif 000004
【図３】
2012085210.tif 000005
【図４】
2012085210.tif 000006
【図５】
2012085210.tif 000007
【図６】
2012085210.tif 000008
【図７】
2012085210.tif 000009
【図８】
2012085210.tif 000010
【図９】
2012085210.tif 000011
【図１０】
2012085210.tif 000012